【手続補正書】
【提出日】平成19年6月28日(2007.6.28)
【手続補正１】
【補正対象書類名】明細書
【補正対象項目名】特許請求の範囲
【補正方法】変更
【補正の内容】
【特許請求の範囲】
【請求項１】ａ．  ライン周波数を有するＡＣユーティリティ電力を供給するユーティリティ電力入力と；
ｂ．  該ＡＣユーティリィティ電力を実質的な定ＤＣ信号に変換する線電圧整流素子と；
ｃ．  該ＤＣ信号に応じ、少なくとも１つの交番電力出力を確立する少なくとも１つのスイッチを有するスイッチモードインバータ素子と；
ｄ．  該スイッチモードインバータ素子を制御するドライバと；
ｅ．  該スイッチモードインバータ素子から離れた位置で実質的にシヌソイド状の交番電力を提供する、実質的にシヌソイド状の交番信号電力配電システムと；
ｆ．  該実質的にシヌソイド状の交番信号電力配電システムに応じ、コンピュータ構成要素の近くに位置付けられ、該実質的にシヌソイド状の交番電力を実質的に定ＤＣ出力に変換し、少なくとも１つのコンピュータ構成要素が応じる、少なくとも１つの電圧調整モジュール整流素子と；
を備える、スイッチ生成ＤＣ電力コンピュータシステム。
【請求項２】  前記少なくとも１つのコンピュータ構成要素は、少なくとも１つの低電圧大電流コンピュータ構成要素を含み、前記スイッチモードインバータ素子から離れた位置で実質的にシヌソイド状の交番電力を提供する前記実質的にシヌソイド状の交番信号電力配電システムは、約５ボルトより大きい交番電圧、約５ボルトより大きい交番電圧、約１０ボルトより大きい交番電圧、約１５ボルトより大きい交番電圧、約２０ボルトより大きい交番電圧、約３０ボルトより大きい交番電圧、約５０ボルトより大きい交番電圧からなる群から選択された交番電圧で動作する配電システムを含む、請求項１に記載のスイッチ生成ＤＣ電力コンピュータシステム。
【請求項３】  交番低電圧コンピュータ構成要素出力を確立する少なくとも１つの電圧調整モジュール変圧素子をさらに備える、請求項２に記載のスイッチ生成ＤＣ電力コンピュータシステム。
【請求項４】  前記少なくとも１つの低電圧大電流コンピュータ構成要素は、少なくとも１つのメモリ素子と、論理管理システムと、少なくとも１つの入出力素子とをさらに含む、請求項３に記載のスイッチ生成ＤＣ電力コンピュータシステム。
【請求項５】  前記少なくとも１つの低電圧大電流コンピュータ構成要素は、バイパスキャパシタによって影響される少なくとも１つのマイクロプロセッサを含む、請求項４に記載のスイッチ生成ＤＣ電力コンピュータシステム。
【請求項６】  前記少なくとも１つの低電圧大電流コンピュータ構成要素は、インバータ期間内で急速なエネルギー需要が可能であり、前記バイパスキャパシタは、該インバータ期間内に該コンピュータ構成要素の該急速なエネルギー需要の実質的にすべてを供給する、請求項５に記載のスイッチ生成ＤＣ電力コンピュータシステム。
【請求項７】  前記少なくとも１つの低電圧大電流コンピュータ構成要素は、該インバータ期間内の急速なエネルギー需要が可能で、第２の構成要素ＤＣ供給電圧を必要とする少なくとも第２の低電圧大電流コンピュータ構成要素をさらに備え、
該実質的にシヌソイド状の交番信号電力配電システムに応じ、該第２の低電圧大電流  コンピュータ構成要素の近傍に電気的に配置された少なくとも第２の電圧調整モジュールをさらに備え、
前記少なくとも１つの低電圧大電流コンピュータ構成要素は
１）  第２の交番低電圧コンピュータ構成要素出力を確立する少なくとも第２の電圧調整モジュール変圧素子と、
２）  該第２の交番低電圧コンピュータ構成要素出力を該第２の構成要素ＤＣ供給電圧に変換し、該第２の低電圧大電流コンピュータ構成要素が応じる、少なくとも第２の電圧調整モジュール整流素子と
を含む、請求項４に記載のスイッチ生成ＤＣ電力コンピュータシステム。
【請求項８】  前記コンピュータシステムがパーソナルコンピュータを含む、請求項４に記載のスイッチ生成ＤＣ電力コンピュータシステム。
【請求項９】  前記パーソナルコンピュータは、ディスプレイと、キーボードと、出力素子とを含む、請求項８に記載のスイッチ生成ＤＣ電力コンピュータシステム。
【請求項１０】  応答ネットワークであって、
ａ．  前記少なくとも１つのスイッチの前記交番電力出力に応じる、定出力電圧回路部と；
ｂ．  前記少なくとも１つのスイッチの前記交番電力出力に応じる、定軌跡回路部と；
ｃ．  前記少なくとも１つのスイッチの前記交番電力出力に応じるエネルギー維持回路部と；
ｄ．  前記少なくとも１つのスイッチの前記交番電力出力に応じる安定化回路部と；
を含む、応答ネットワークをさらに備える、請求項１に記載のスイッチ生成ＤＣ電力コンピュータシステム。
【請求項１１】  前記応答ネットワークは、約０．３ミリファラッドより小さい実効キャパシタンス、約０．５ミリファラッドより小さい実効キャパシタンス、約１ミリファラッドより小さい実効キャパシタンス、約３ミリファラッドより小さい実効キャパシタンス、約１０ミリファラッドより小さい実効キャパシタンスからなる群から選択された実効キャパシタンスを有するネットワークを含む、請求項１０に記載のスイッチモード生成ＤＣ電力コンピュータシステム。
【請求項１２】  前記ドライバは、駆動振幅を有し、前記ドライバが応じ、該駆動振幅に応じる直接駆動バイアス交番回路部をさらに備える、請求項１０に記載のスイッチ生成ＤＣ電力コンピュータシステム。
【請求項１３】  負荷に電力を提供するために高周波電力を生成する方法であって、
ａ．  電力を供給するステップと、
ｂ．  高周波交番電力出力を確立するように、導電期間の後の軌跡を作成するオンオフ遷移事象を少なくとも１つのスイッチが有することによって、該電力をインバートするステップと、
ｃ．  該スイッチを高周波駆動するステップと、
ｄ．  該周波交番電力出力に応じて可変負荷に電力供給するステップと、
ｅ．  該可変負荷にかかわらず、該軌跡を実質的に固定として確立するために、該可変負荷に受動的に応じるステップと
を包含する、負荷に電力を提供するために高周波電力を生成する方法。
【請求項１４】  前記可変負荷にかかわらず、軌跡を実質的に固定として確立するために、可変負荷に受動的に応じるステップは、該軌跡において、時間に対する電圧の連続的な二次導関数を受動的に確立するステップを包含する、請求項１３に記載の負荷に電力を提供するために高周波電力を生成する方法。
【請求項１５】  前記高周波交番電力出力を確立するように、導電期間の後の軌跡を作成するオンオフ遷移事象を少なくとも１つのスイッチが有することによって、電力をインバートするステップは、導電状態のいずれのスイッチの間において遷移事象を作成するように２つのスイッチを連続的に動作するステップを含み、該遷移事象の各々において軌跡が発生し、前記可変負荷にかかわらず、軌跡を実質的に固定として確立するために、可変負荷に受動的に応じるステップは、該遷移事象の間に該軌跡を制御するステップを含む、請求項１３に記載の負荷に電力を提供するために高周波電力を生成する方法。
【請求項１６】  前記スイッチを高周波駆動するステップは、駆動振幅を有し、ドライブバイアスを確立し、該駆動振幅に応じる回路部を介して該ドライブバイアスを直接的に交番するステップをさらに包含する、請求項１５に記載の負荷に電力を提供するために高周波電力を生成する方法。
【請求項１７】  負荷に電力を提供するために高周波電力を生成する方法は、
ａ．  電力を供給するステップと、
ｂ．  高周波交番電力出力を確立する少なくとも１つのスイッチを介して該電力をインバートするステップと、
ｃ．  該スイッチを高周波駆動するステップ；
ｄ．  該高周波交番電力出力；に応じて可変負荷に電力供給するステップと、
ｅ．  該可変負荷にかかわらず、高効率定出力を確立するために該可変負荷に受動的に応じるステップと
を包含する、負荷に電力を提供するために高周波電力を生成する方法。
【請求項１８】  前記可変負荷にかかわらず、高効率定出力を確立するために可変負荷に受動的に応じるステップは、
−実用上可変負荷が存在する全てのレベルにわたって実質的に一定である、実質的に一定なスイッチ電圧出力と、
−実用上可変負荷が存在する全てのレベルにわたって実質的に一定である、実質的に一定な負荷電圧入力と、
−実用上可変負荷が存在する全てのレベルにわたって実質的に一定である、実質的に一定なスイッチ電圧フーリエ変換と、
−実用上可変負荷が存在する全てのレベルにわたって実質的に一定である、実質的な一定スイッチ電圧出力波形と、
−実用上可変負荷が存在する全てのレベルにわたって実質的に一定である、実質的な一定スイッチ電圧遷移エンドポイントと、
−上記のそれぞれの交換および組合せの全て
からなる群から選択された低出力を確立する、請求項１７に記載の負荷に電力を提供するために高周波電力を生成する方法。
【請求項１９】  前記可変負荷にかかわらず、高効率定出力を確立するために可変負荷に受動的に応じるステップは、高速動作応答ネットワークによる該可変負荷における変動に応じるステップを含む、請求項１７に記載の負荷に電力を提供するために高周波電力を生成する方法。
【請求項２０】  可変負荷に電力を提供する無線周波電力生成器であって、ａ．  電力供給源と、
ｂ．  周波数ドライバと、
ｃ．  該周波数ドライバおよび該電力供給源に応じる少なくとも１つのスイッチを有するスイッチモードインバータであって、該スイッチモードインバータは、ある周波数での交番電力出力を確立する、スイッチモードインバータと、
ｄ．  該交番電力出力に応答する可変負荷と、
ｅ．  該スイッチの該交番電力出力に応答し、該可変負荷にかかわらず、実質的に一定のエンドポイントを提供する、受動定エンドポイント応答ネットワークとを備える、無線周波電力生成器。
【請求項２１】  前記スイッチモードインバータは少なくとも１つのスイッチを有し、前記スイッチが導電でない間、該スイッチはエンドポイントを有する応答期間を生成し、前記受動定エンドポイント応答ネットワークは、実用上可変負荷が存在する全てのレベルにわたって実質的に一定である、実質的な一定スイッチ電圧遷移エンドポイントを維持するように作用する、請求項２０に記載の無線周波数電力生成器。
【請求項２２】  前記スイッチはスイッチＤＣ供給電圧を有し、該スイッチが導電でない間、該スイッチはエンドポイントを有する応答期間を生成し、前記受動定エンドポイント応答ネットワークは、実用上可変負荷が存在する全てのレベルにわたってそれぞれが、ゼロボルト、ダイオードチューンオンレベルより小さい電圧、約５％未満の該スイッチＤＣ供給電圧、約１０％未満の該スイッチＤＣ供給電圧、約２０％未満の該スイッチＤＣ供給電圧、約５０％未満の該スイッチＤＣ供給電圧からなる群から選択されたレベルで該エンドポイントを維持する、請求項２１に記載の無線周波数電力生成器。
【請求項２３】  前記スイッチモードインバータは、前記交番電力出力を確立するように関連して動作する２つのスイッチを含む、請求項２２に記載の無線周波数電力生成器。
【請求項２４】  前記スイッチモードインバータが１つのスイッチを含む、請求項２２に記載の無線周波数電力生成器。
【請求項２５】  前記周波数ドライバは駆動振幅を有し、該周波数ドライバが応じ、該駆動振幅に応じる直接駆動バイアス交番回路部をさらに含む、請求項２３に記載の無線周波数電力生成器。
【請求項２６】  前記少なくとも１つのスイッチは、それぞれ導電角を確立する２つのスイッチを含み、前記直接駆動バイアス交番回路部は該導通角を維持する、請求項２５に記載の高周波電力生成器。
【請求項２７】  前記直接駆動バイアス交番回路部は、
ａ．  分圧回路部と、
ｂ．  少なくとも１つのダイオード素子と
を含む、請求項２５に記載の高周波電力生成器。
【請求項２８】  負荷に電力を提供するために高周波電力を生成する方法であって、
ａ．  電力を供給するステップと；
ｂ．  高周波交番電力出力を確立するように、本体ダイオードフューチャを有する少なくとも１つのスイッチを介して該電力をインバートするステップと、
ｃ．  該スイッチを高周波駆動するステップ；
ｄ．  該高周波交番電力出力に応じて可変負荷に電力供給するステップと、
ｅ．  該本体ダイオードフューチャが導電状態に遷移することを防ぐように該可変負荷に受動的に応じるステップと、
を包含する、負荷に電力を提供するために高周波電力を生成する方法。
【請求項２９】  前記本体ダイオードフューチャが導電状態に遷移することを防ぐように可変負荷に受動的に応じるステップは、高速動作応答ネットワークを介する該可変負荷の変動に応じるステップを含む、請求項２８に記載の負荷に電力を提供するために高周波電力を生成する方法。
【請求項３０】  前記高周波交番電力出力に応じて可変負荷に電力供給するステップは、該高周波交番電力出力に応じた実質的な実負荷に電力供給するステップを含む、請求項２８に記載の負荷に電力を提供するために高周波電力を生成する方法。
【請求項３１】  前記負荷は公称負荷を有し、前記本体ダイオードフューチャが導電状態に遷移することを防ぐように可変負荷に受動的に応じるステップは、該本体ダイオードフューチャが前記公称負荷から開回路までの範囲にわたる導電状態に遷移することを防ぐように、該可変負荷に受動的に応じるステップを含む、請求項３０に記載の負荷に電力を提供するために高周波電力を生成する方法。
【請求項３２】  前記負荷は公称負荷を有し、  前記本体ダイオードフューチャが導電状態に遷移することを防ぐように可変負荷に受動的に応じるステップは、該本体ダイオードフューチャが前記公称負荷から短絡回路に応じるまでの範囲にわたる導電状態に遷移することを防ぐように、該可変負荷に受動的に応じるステップを含む、請求項３０に記載の負荷に電力を提供するために高周波電力を生成する方法。
【請求項３３】  ＤＣコンピュータシステムに電力を供給する方法であって、
ａ．ライン周波数を有するＡＣユーティリティ電力を供給する工程と、
ｂ．該ＡＣユーティリティ電力をＤＣ信号に整流する工程と、
ｃ．交番電力出力を確立するために該ＤＣ信号を反転する工程と、
ｄ．電力を電気的遠隔位置に分配する工程と、
ｅ．該電力を整流し、ＤＣ成分供給電圧を確立するために、少なくとも１つのスイッチを受動的に駆動する工程と、
ｆ．該ＤＣ成分供給電圧から該コンピュータ構成要素に電力を供給する工程と
を包含する、方法。
【請求項３４】  前記ＡＣユーティリティ電力をＤＣ信号に整流する工程は、
ａ．第１のスイッチ式整流器素子を切り換える工程と、
ｂ．第２のスイッチ式整流器素子を切り換える工程と
を包含する、請求項３３に記載のＤＣコンピュータシステムに電力を供給する方法。
【請求項３５】  前記分配された電力を前記電気的遠隔位置において電気的遠隔位置に変換する工程をさらに包含する、請求項３４に記載のＤＣコンピュータシステムに電力を供給する方法。
【請求項３６】  前記電力を整流し、ＤＣ成分供給電圧を確立するために、少なくとも１つのスイッチを受動的に駆動する工程は、交流制御入力を少なくとも１つのスイッチに提供する工程を包含する、請求項３３に記載のＤＣコンピュータシステムに電力を供給する方法。
【請求項３７】  前記電気的遠隔位置において前記交番電力出力を変換する工程をさらに包含し、前記電力を整流し、ＤＣ成分供給電圧を確立するために、少なくとも１つのスイッチを受動的に駆動する工程は、該少なくとも１つのスイッチを駆動するために該交番電力出力を利用する工程を包含する、請求項３５に記載のＤＣコンピュータシステムに電力を供給する方法。
【請求項３８】  前記電力を整流し、ＤＣ成分供給電圧を確立するために、少なくとも１つのスイッチを受動的に駆動する工程は、バイアス制御入力を少なくとも１つのスイッチに提供する工程を包含する、請求項３３または３６に記載のＤＣコンピュータシステムに電力を供給する方法。
【請求項３９】  第２の側面を有する変圧器によって、前記交番電力出力を前記電気的遠隔位置において変換する工程をさらに包含し、前記バイアス制御入力を少なくとも１つのスイッチに提供する工程は、該バイアス制御入力を該変圧器の該第２の側面に電気的に接続する工程を包含する、請求項３８に記載のＤＣコンピュータシステムに電力を供給する方法。
【請求項４０】  前記バイアス制御入力を少なくとも１つのスイッチに提供する工程は、ＤＣ入力を提供する工程を包含する、請求項３８に記載のＤＣコンピュータシステムに電力を供給する方法。
【請求項４１】  前記バイアス制御入力を少なくとも１つのスイッチに提供する工程は、低周波数入力を提供する工程を包含する、請求項３８に記載のＤＣコンピュータシステムに電力を供給する方法。
【請求項４２】  ＤＣ電圧を調整する方法であって、
ａ．交番入力を供給する工程と、
ｂ．該交番入力を変圧する工程と、
ｃ．ＤＣ供給電圧を確立するために、該交番入力を整流する工程と、
ｄ．実質的非容量性ＤＣ出力システムを介して、該ＤＣ供給電圧を伝達する工程と
を包含する、方法。
【請求項４３】  請求項４２に記載のＤＣ電圧を調整する方法であって、前記構成要素ＤＣ供給電圧を実質的非容量性ＤＣ出力システムを介して伝達する工程は、約０．３ミリファラッド未満、約０．５ミリファラッド未満、約１ミリファラッド未満、約３ミリファラッド未満、約１０ミリファラッド未満、およそ応答ネットワークの固有リアクタンスだけ、およそ構成要素コネクタの固有キャパシタンスだけ、およそ前記コンピュータ構成要素の固有キャパシタンスだけ、およそマイクロプロセッサのバイパスキャパシタンスだけ、および上記の任意の順列または組み合わせからなる群から選択される実効キャパシタンスを有する実質的非容量性ＤＣ出力システムを介して該構成要素ＤＣ供給電圧を伝達する工程を包含する、方法。
【請求項４４】  請求項４２に記載のＤＣ電圧を調整する方法であって、前記ＤＣ供給電圧を確立するために、前記交番入力を整流する工程は、
ａ．第１のスイッチ式整流器素子を切り換える工程と、
ｂ．第２のスイッチ式整流器素子を切り換える工程と
を包含する、方法。
【請求項４５】  請求項４２に記載のＤＣ電圧を調整する方法であって、前記交番入力を供給する工程は、高周波数の実質的にシヌソイドの交流信号出力を提供する工程を包含する、方法。
【請求項４６】  請求項４２に記載のＤＣ電圧を調整する方法であって、前記高周波数の実質的にシヌソイドの交番入力を提供する工程は、少なくとも約３００ｋＨｚより大きい周波数、少なくとも約５００ｋＨｚより大きい周波数、少なくとも約１ＭＨｚより大きい周波数、少なくとも約３ＭＨｚより大きい周波数、少なくとも約１０ＭＨｚより大きい周波数、少なくとも約３０ＭＨｚより大きい周波数、第１および第２の切り換えられた電圧調整モジュール整流器の固有キャパシタンスと同等の周波数、前記コンピュータ構成要素の固有キャパシタンスと同等の周波数、構成要素コネクタの固有キャパシタンスと同等の周波数、シヌソイドの駆動システムの固有キャパシタンスと同等の周波数、および上記の任意の順列または組み合わせからなる群から選択される周波数で作動する該高周波数の実質的にシヌソイドの交番入力を提供する工程を包含する、方法。
【請求項４７】  請求項４２に記載のＤＣ電圧を調整する方法であって、前記構成要素ＤＣ供給電圧を伝達する工程は、該構成要素ＤＣ供給電圧を、約２ボルト未満、約１．８ボルト未満、約１．５ボルト未満、約１．３ボルト未満、約１ボルト未満、および約０．４ボルト未満からなる群から選択される公称ＤＣ電圧で伝達する工程を包含する、方法。
【請求項４８】  請求項４２に記載のＤＣ電圧を調整する方法であって、前記構成要素ＤＣ供給電圧を実質的非容量性ＤＣ出力システムを介して伝達する工程は、少なくとも約０．２アンペア／ナノ秒、少なくとも約０．５アンペア／ナノ秒、少なくとも約１アンペア／ナノ秒、少なくとも約３アンペア／ナノ秒、少なくとも約１０アンペア／ナノ秒、および少なくとも約３０アンペア／ナノ秒からなる群から選択されるレベルで発生する急速電流需要が可能な実質的非容量性ＤＣ出力システムを介して構成要素ＤＣ供給電圧を伝達する工程を包含する、方法。
【請求項４９】  請求項４２に記載のＤＣ電圧を調整する方法であって、前記構成要素ＤＣ供給電圧を実質的非容量性ＤＣ出力システムを介して伝達する工程は、約１５アンペア以上、約２０アンペア以上、約５０アンペア以上、および約１００アンペア以上からなる群から選択される最大電流で作動するＤＣ出力システムを介して構成要素ＤＣ供給電圧を伝達する工程を包含する、方法。
【請求項５０】  急速な電流需要を可能にする低電圧大電流マイクロプロセッサに電力を供給する電源回路であって、実質的な誘導ＤＣ出力を有するＤＣ電源を備える、マイクロプロセッサに電力を供給する電源回路。
【請求項５１】  前記マイクロプロセッサは低電圧大電流負荷を含み、前記ＤＣ電源は該負荷に調整電圧を提供する、請求項５０に記載のマイクロプロセッサに電力を供給する電源回路。
【請求項５２】  前記ＤＣ電源は、前記マイクロプロセッサから物理的に離れている、請求項５０に記載のマイクロプロセッサに電力を供給する電源回路。
【請求項５３】  前記ＤＣ電源は、該ＤＣ電源から前記マイクロプロセッサまで少なくとも約二分の一インチ、該ＤＣ電源から前記マイクロプロセッサまで少なくとも約１インチ、該ＤＣ電源から前記マイクロプロセッサまで少なくとも約２インチからなる群から選択された距離を介して離れて、該マイクロプロセッサに電力を提供する、請求項５２に記載のマイクロプロセッサに電力を供給する電源回路。
【請求項５４】  前記ＤＣ電源は、前記マイクロプロセッサから電気的に離れている、請求項５０に記載のマイクロプロセッサに電力を供給する電源回路。  
【請求項５５】  前記マイクロプロセッサに付属するバイパスキャパシタンスをさらに備えた、請求項５０に記載のマイクロプロセッサに電力を供給する電源回路。  
【請求項５６】  前記バイパスキャパシタンスは、約０．２ミリファラッド未満および約０．５ミリファラッド未満からなる群から選択された全バイパスキャパシタンスを含む、請求項５５に記載のマイクロプロセッサに電力を供給する電源回路。
【請求項５７】  前記バイパスキャパシタンスは、約０．３ミリファラッド未満、約０．５ミリファラッド未満、約１ミリファラッド未満、約３ミリファラッド未満、約１０ミリファラッド未満、応答ネットワークの約固有キャパシタンスのみ、構成要素コネクタの約固有リアクタンスのみ、低電圧大電流構成要素の約固有キャパシタンスのみ、マイクロプロセッサの約バイパスキャパシタンスのみ、および上記の任意の交換または組み合わせからなる群から選択されたキャパシタンスを含む、請求項５５に記載のマイクロプロセッサに電力を供給する電源回路。
【請求項５８】  前記実質的な誘導ＤＣ出力は実質的な非容量出力を含む、請求項５０に記載のマイクロプロセッサに電力を供給する電源回路。
【請求項５９】  前記マイクロプロセッサは、約２ボルト未満、約１．８ボルト未満、約１．５ボルト未満、約１．３ボルト未満、約１ボルト未満、約０．４ボルト未満からなる群から選択された公称ＤＣ電圧で動作するマイクロプロセッサを含む、請求項５１に記載のマイクロプロセッサに電力を供給する電源回路。
【請求項６０】  前記マイクロプロセッサは、１ナノ秒当たり少なくとも約０．２アンペア、１ナノ秒当たり少なくとも約０．５アンペア、１ナノ秒当たり少なくとも約１アンペア、１ナノ秒当たり少なくとも約３アンペア、１ナノ秒当たり少なくとも約１０アンペア、さらに１ナノ秒当たり少なくとも約３０アンペアからなる群から選択されたレベルで立ち上がる急速電流需要を可能にする、請求項５１に記載のマイクロプロセッサに電力を供給する電源回路。
【請求項６１】  前記マイクロプロセッサは、１５アンペアより大きい電流、２０アンペアより大きい電流、５０アンペアより大きい電流、１００アンペアより大きい電流からなる群から選択された最大電流で動作するマイクロプロセッサを含む、請求項５１に記載のマイクロプロセッサに電力を供給する電源回路。    
【請求項６２】  前記ＤＣ電源は、電圧調整モジュールを含む、請求項５０に記載のマイクロプロセッサに電力を供給する電源回路。  
【請求項６３】  急速電流需要可能な低電圧大電流マイクロプロセッサに電力供給する方法であって、
ａ．  実質的な誘導ＤＣ出力を有するＤＣ電源を提供するステップと、
ｂ．  該マイクロプロセッサに実質的な誘導ＤＣ出力を電力供給するステップとを包含する、方法。
【請求項６４】  急速電流需要可能な低電圧大電流マイクロプロセッサに電力供給する電源回路であって、実質的な非容量性ＤＣ出力を有する電圧調整モジュールを含む、電源回路。
【請求項６５】  前記マイクロプロセッサは低電圧大電流負荷を含み、前記電圧調整モジュールは該負荷に調整電圧を提供する、請求項６４に記載のマイクロプロセッサに電力を供給する電源回路。
【請求項６６】  前記電圧調整モジュールは、前記マイクロプロセッサから物理的に離れている、請求項６４に記載のマイクロプロセッサに電力を供給する電源回路。
【請求項６７】  前記電圧調整モジュールは、該電圧調整モジュールから前記マイクロプロセッサに少なくとも約二分の一インチ、該電圧調整モジュールから該マイクロプロセッサに少なくとも約１インチ、該電圧調整モジュールから該マイクロプロセッサに少なくとも約２インチからなる群から選択された距離を介して離れて、該マイクロプロセッサに電力を提供する、請求項６６に記載のマイクロプロセッサに電力を供給する電源回路。
【請求項６８】  前記電圧調整モジュールは、前記マイクロプロセッサから電気的に離れている、請求項６４に記載のマイクロプロセッサに電力を供給する電源回路。
【請求項６９】  前記マイクロプロセッサに付属するバイパスキャパシタンスをさらに備える、請求項６４に記載のマイクロプロセッサに電力を供給する電源回路。  
【請求項７０】  前記バイパスキャパシタンスは、約０．２ミリファラッド未満および約０．５ミリファラッド未満からなる群から選択された全バイパスキャパシタンスを含む、請求項６９に記載のマイクロプロセッサに電力を供給する電源回路。
【請求項７１】  前記バイパスキャパシタンスは、約０．３ミリファラッド未満、約０．５ミリファラッド未満、約１ミリファラッド未満、約３ミリファラッド未満、約１０ミリファラッド未満、応答ネットワークの約固有キャパシタンスのみ、構成要素コネクタの約固有リアクタンスのみ、低電圧大電流構成要素の約固有キャパシタンスのみ、マイクロプロセッサの約バイパスキャパシタンスのみ、および上記の任意の交換または組み合わせからなる群から選択されたキャパシタンスを含む、請求項６９に記載のマイクロプロセッサに電力を供給する電源回路。
【請求項７２】  前記実質的な非容量性ＤＣ出力は、実質的な誘導ＤＣ出力を含む、請求項６４に記載のマイクロプロセッサに電力を供給する電源回路。    
【請求項７３】  前記実質的な誘導ＤＣ出力は、前記電圧調整モジュール内のインダクタンスを含む、請求項７２に記載のマイクロプロセッサに電力を供給する電源回路。
【請求項７４】  前記電圧調整モジュール内のインダクタンスは、前記全直列インダクタンスと前記相互接続インダクタンスとからなる群から選択されたインダクタンスを含む、請求項７３に記載のマイクロプロセッサに電力を供給する電源回路。  
【請求項７５】  前記実質的な誘導ＤＣ出力は、前記電圧調整モジュール外部のインダクタンスを含む、請求項７２または７３に記載のマイクロプロセッサに電力を供給する電源回路。
【請求項７６】  前記マイクロプロセッサは、約２ボルト未満、約１．８ボルト未満、約１．５ボルト未満、約１．３ボルト未満、約１ボルト未満、約０．４ボルト未満からなる群から選択された公称ＤＣ電圧で動作するマイクロプロセッサを含む、請求項６５に記載のマイクロプロセッサに電力を供給する電源回路。
【請求項７７】  前記マイクロプロセッサは、１ナノ秒当たり少なくとも約０．２アンペア、１ナノ秒当たり少なくとも約０．５アンペア、１ナノ秒当たり少なくとも約１アンペア、１ナノ秒当たり少なくとも約３アンペア、１ナノ秒当たり少なくとも約１０アンペア、および１ナノ秒当たり少なくとも約３０アンペアからなる群から選択されたレベルで立ち上がる急速電流需要を可能にする、請求項６５に記載のマイクロプロセッサに電力を供給する電源回路。
【請求項７８】  前記マイクロプロセッサは、１５アンペアより大きい電流、２０アンペアより大きい電流、５０アンペアより大きい電流、１００アンペアより大きい電流からなる群から選択された最大電流で動作するマイクロプロセッサを含む、請求項６５に記載のマイクロプロセッサに電力を供給する電源回路。
【請求項７９】  急速電流需要可能な低電圧大電流マイクロプロセッサに電力供給する方法であって、
ａ．  実質的な非容量性ＤＣ出力を有する電圧調整モジュールを提供するステップと、
ｂ．  該マイクロプロセッサに該実質的な非容量性ＤＣ出力を電力供給するステップと
を包含する、方法。
【請求項８０】  急速電流需要可能な低電圧大電流マイクロプロセッサに電力供給する電源回路であって、実質的な誘導ＤＣ出力を有する電圧調整モジュールを備える、マイクロプロセッサに電力供給する電源回路。
【請求項８１】  前記マイクロプロセッサは低電圧大電流負荷を含み、前記電圧調整モジュールは、該負荷に調整電圧を提供する、請求項８０に記載のマイクロプロセッサに電力を供給する電源回路。
【請求項８２】  前記電圧調整モジュール  前記マイクロプロセッサから物理的に離れている、請求項８０に記載のマイクロプロセッサに電力を供給する電源回路。  
【請求項８３】  前記電圧調整モジュールは、該電圧調整モジュールから前記マイクロプロセッサに少なくとも約二分の一インチ、該電圧調整モジュールから該マイクロプロセッサに少なくとも約１インチ、該電圧調整モジュールから該マイクロプロセッサに少なくとも約２インチからなる群から選択された距離を介して離れて、該マイクロプロセッサに電力を提供する、請求項８２に記載のマイクロプロセッサに電力を供給する電源回路。
【請求項８４】  前記電圧調整モジュールは、前記マイクロプロセッサから電気的に離れている、請求項８０に記載のマイクロプロセッサに電力を供給する電源回路。  
【請求項８５】  前記イクロプロセッサに付属するバイパスキャパシタンスをさらに備える、請求項８０に記載のマイクロプロセッサに電力を供給する電源回路。
【請求項８６】  前記バイパスキャパシタンスは、約０．２ミリファラッド未満および約０．５ミリファラッド未満からなる群から選択された全バイパスキャパシタンスを含む、請求項８５に記載のマイクロプロセッサに電力を供給する電源回路。
【請求項８７】  前記バイパスキャパシタンスは、約０．３ミリファラッド未満、約０．５ミリファラッド未満、約１ミリファラッド未満、約３ミリファラッド未満、約１０ミリファラッド未満、応答ネットワークの約固有キャパシタンスのみ、構成要素コネクタの約固有リアクタンスのみ、低電圧大電流構成要素の約固有キャパシタンスのみ、マイクロプロセッサの約バイパスキャパシタンスのみ、および上記の任意の交換または組み合わせからなる群から選択されたキャパシタンスを含む、請求項８５に記載のマイクロプロセッサに電力を供給する電源回路。
【請求項８８】  前記実質的な誘導ＤＣ出力は、実質的な非容量性ＤＣ出力を含む、請求項８０に記載のマイクロプロセッサに電力を供給する電源回路。
【請求項８９】  前記実質的な誘導ＤＣ出力は、前記電圧調整モジュールの内部のインダクタンスを含む、請求項８０に記載のマイクロプロセッサに電力を供給する電源回路。
【請求項９０】  前記電圧調整モジュールの内部のインダクタンスは、全直列インダクタンスおよび相互接続インダクタンスからなる群から選択されたインダクタンスを含む、請求項８９に記載のマイクロプロセッサに電力を供給する電源回路。  
【請求項９１】  前記実質的な誘導ＤＣ出力は、前記電圧調整モジュールの外部のインダクタンスを含む、請求項８０または８９に記載のマイクロプロセッサに電力を供給する電源回路。
【請求項９２】  前記マイクロプロセッサは、約２ボルト未満、約１．８ボルト未満、約１．５ボルト未満、約１．３ボルト未満、約１ボルト未満、約０．４ボルト未満からなる群から選択された公称ＤＣ電圧で動作するマイクロプロセッサを含む、請求項８１に記載のマイクロプロセッサに電力を供給する電源回路。
【請求項９３】  前記マイクロプロセッサは、１ナノ秒当たり少なくとも約０．２アンペア、１ナノ秒当たり少なくとも約０．５アンペア、１ナノ秒当たり少なくとも約１アンペア、１ナノ秒当たり少なくとも約３アンペア、１ナノ秒当たり少なくとも約１０アンペア、さらに１ナノ秒当たり少なくとも約３０アンペアからなる群から選択されたレベルで立ち上がる急速電流需要を可能にする、請求項８１に記載のマイクロプロセッサに電力を供給する電源回路。
【請求項９４】  前記マイクロプロセッサは、１５アンペアより大きい電流、２０アンペアより大きい電流、５０アンペアより大きい電流、１００アンペアより大きい電流からなる群から選択された最大電流で動作するマイクロプロセッサを含む、請求項８１に記載のマイクロプロセッサに電力を供給する電源回路。  
【請求項９５】  急速電流需要可能な低電圧大電流マイクロプロセッサに電力供給する方法であって、
ａ．  実質的な誘導ＤＣ出力を有する電圧調整モジュールを提供するステップと、
ｂ．  該マイクロプロセッサに実質的な誘導ＤＣ出力を電力供給するステップとを包含する、方法。